(57)【要約】      （修正有）【課題】胸部、胴部、腕部、脚部等の複数のパーツからなるトルソを、各パーツを全部用いて利用するだけでなく、各パーツの一部だけを用いて様々な形態で利用可能とすること、同トルソを様々な形態で利用する際に、容易かつ着せ替えしやすいように支持すること。【解決手段】胸部２と胴部３、胸部２と腕部４及び胴部３と脚部５を、それぞれ着脱可能に結合するジョイント部品を備え、胸部２と胴部３を着脱可能に結合する胸部胴部ジョイント部品は、結合を解除したときに胴部３の上端面に突出部のないものとする。また、床面に載置されるベース部と、該ベース部上面に立設した鉛直状の支柱と、該支柱に上下方向へ出し入れ自在かつ適宜の位置で固定可能な伸縮部と、該伸縮部の上端部に設けた吊シャフトを有する支持体を備え、少なくとも胸部２及び胴部３の上部背面に、吊シャフトを差し込むことのできる開口穴を設ける。【選択図】図１
2014226258.tif 000002
【特許請求の範囲】
【請求項１】
胸部及び胴部と、
前記胸部と前記胴部を着脱可能に結合する胸部胴部ジョイント部品を備え、
前記胸部胴部ジョイント部品は、結合を解除したときに前記胴部の上端面に突出部のないものであることを特徴とする
システムトルソ。
【請求項２】
腕部及び／又は脚部と、
前記胸部と前記腕部を着脱可能に結合する胸部腕部ジョイント部品、及び／又は前記胴部と前記脚部を着脱可能に結合する胴部脚部ジョイント部品を備えることを特徴とする
請求項１に記載のシステムトルソ。
【請求項３】
前記胸部胴部ジョイント部品は、
前記胸部の下端面から下に延びる突出部と、
前記胴部の上端面に設けられ前記突出部が嵌合可能な凹部と、
前記突出部を前記凹部に嵌合した状態で、前記突出部を固定する固定具を有することを特徴とする
請求項１又は２に記載のシステムトルソ。
【請求項４】
前記突出部は、ネジ穴又は穴を有するとともに、前記胸部の下端面の周辺部に複数設けられ、
前記凹部は、前記胴部の上端面の周辺部に複数設けられ、
前記固定具は、前記胴部の上部の側面から前記凹部に貫通する横穴を通して、前記ネジ穴又は穴に挿入されるネジ又は係合手段であることを特徴とする
請求項３に記載のシステムトルソ。
【請求項５】
床面に載置されるベース部と、該ベース部に支持され上方に延びる支柱と、該支柱に上下方向へ出し入れ自在かつ適宜の位置で固定可能な伸縮部と、該伸縮部の上端部に設けた吊シャフト又は突起を有する支持体を備えるとともに、
前記胸部及び前記胴部の上部背面に、前記吊シャフト又は突起を差し込むことのできる開口穴を設けたことを特徴とする
請求項１ないし４のいずれかに記載のシステムトルソ。
【発明の詳細な説明】
【技術分野】
【０００１】
本発明は、複数のパーツからなるトルソにおいて、各パーツを全部又は一部だけ用いて様々な形態で利用可能なシステムトルソに関する。
【背景技術】
【０００２】
従来、胸部、胴部、腕部、脚部等（上胴部、下胴部、腕部、手先部）の複数のパーツからなるトルソが製作されている。
例えば、特許文献１（実公昭３８−１６８４７号公報）には、胸部、胴部、手部（腕部）、足部（脚部）に分割したものを連結して構成されるマネキン人形であって、胸部と手部、胴部と足部とを、それぞれねじ（ジョイント部品）をもって締着して結合し、胸部と胴部とを、それぞれの端部に締着した取付板を重合して、胴部側の取付板（オスジョイント部品）における突出部と胸部側の取付板（メスジョイント部品）における凹入部とを嵌合させ、円状スプリングにより係合させて結合するものが記載されている。
【０００３】
しかし、複数のパーツからなる従来のトルソは、各パーツを全部接続して使用することを前提に製作されており、各パーツの一部だけを用いて様々な形態で利用可能とすることを考慮して製作されていなかった。
例えば、特許文献１記載のマネキン人形は、胸部と手部、胴部と足部については、一旦結合すると容易に外すことはできず、胸部と胴部については、突出部を円状スプリングにより係合させて結合しているので外れるようになってはいるが、外した状態において突出部が上方に突き出た状態となるため、胴部のみ又は胴部と足部のみを陳列するには適していなかった。
【先行技術文献】
【特許文献】
【０００４】
【特許文献１】実公昭３８−１６８４７号公報
【発明の概要】
【発明が解決しようとする課題】
【０００５】
本発明の課題は、胸部、胴部、腕部、脚部等の複数のパーツからなるトルソを、各パーツを全て接続して使用するだけでなく、各パーツの一部だけを用い、あるいは各パーツの一部を組み合わせて様々な形態で利用可能とすること、及び同トルソを様々な形態で利用する際に、容易かつ着せ替えしやすいように支持することである。
【課題を解決するための手段】
【０００６】
請求項１に係る発明のシステムトルソは、胸部及び胴部と、胸部と胴部を着脱可能に結合する胸部胴部ジョイント部品を備え、胸部胴部ジョイント部品は、結合を解除したときに胴部の上端面に突出部のないものであることを特徴とする。
【０００７】
請求項２に係る発明のシステムトルソは、請求項１に記載のシステムトルソにおいて、腕部及び／又は脚部と、胸部と腕部を着脱可能に結合する胸部腕部ジョイント部品、及び／又は胴部と脚部を着脱可能に結合する胴部脚部ジョイント部品を備えることを特徴とする。
【０００８】
請求項３に係る発明のシステムトルソは、請求項１又は２に記載のシステムトルソにおいて、胸部胴部ジョイント部品は、胸部の下端面から下に延びる突出部と、胴部の上端面に設けられ突出部が嵌合可能な凹部と、突出部を凹部に嵌合した状態で、突出部を固定する固定具を有することを特徴とする。
【０００９】
請求項４に係る発明のシステムトルソは、請求項３に記載のシステムトルソにおいて、突出部は、ネジ穴又は穴を有するとともに、胸部の下端面の周辺部に複数設けられ、凹部は、胴部の上端面の周辺部に複数設けられ、固定具は、胴部の上部の側面から凹部に貫通する横穴を通して、ネジ穴又は穴に挿入されるネジ又は係合手段であることを特徴とする。
【００１０】
請求項５に係る発明のシステムトルソは、請求項１ないし４のいずれかに記載のシステムトルソにおいて、床面に載置されるベース部と、該ベース部に支持され上方に延びる支柱と、該支柱に上下方向へ出し入れ自在かつ適宜の位置で固定可能な伸縮部と、該伸縮部の上端部に設けた吊シャフト又は突起を有する支持体を備えるとともに、胸部及び胴部の上部背面に、吊シャフト又は突起を差し込むことのできる開口穴を設けたことを特徴とする。
【発明の効果】
【００１１】
請求項１に係る発明によれば、胸部と胴部を着脱可能に結合する胸部胴部ジョイント部品を備えているので、胸部及び胴部を全部用いて利用するだけでなく、胸部のみ、胸部と胴部、胴部のみという３種類の形態で利用可能なシステムトルソを提供できる。
さらに、胸部胴部ジョイント部品は、結合を解除したときに胴部の上端面に突出部のないものであるため、胴部のみの形態で利用する際に、見栄えが良い、着せ替え時に服が引っかからない、客や従業員が怪我しにくいといった効果を奏する。
【００１２】
請求項２に係る発明によれば、請求項１に係る発明による効果に加え、腕部及び／又は脚部と、胸部と腕部を着脱可能に結合する胸部腕部ジョイント部品、及び／又は胴部と脚部を着脱可能に結合する胴部脚部ジョイント部品を備えているので、胸部、胴部、腕部及び／又は脚部を全部用いて利用するだけでなく、胸部と腕部、胸部と腕部と胴部、胴部と脚部等、様々な形態で利用可能なシステムトルソを提供できる。
【００１３】
請求項３又は４に係る発明によれば、請求項１又は２に係る発明による効果に加え、胸部胴部ジョイント部品が、胸部の下端面から下に延びる突出部と、胴部の上端面に設けられ突出部が嵌合可能な凹部と、突出部を凹部に嵌合した状態で、突出部を固定する固定具を有しているので、胴部の上端面がほぼ平坦で特に見栄えが良く、胸部と胴部の結合時に突出部が固定され、胸部と胴部の結合後に不意に胸部が胴部から外れたり落ちたりすることがないといった効果がある。また、吊り下げた場合においても接続した胴部が外れることが無く安全に使用可能となる。
【００１４】
請求項５に係る発明によれば、請求項１ないし４に係る発明による効果に加え、床面に載置されるベース部と、該ベース部に支持され上方に延びる支柱と、該支柱に上下方向へ出し入れ自在かつ適宜の位置で固定可能な伸縮部と、該伸縮部の上端部に設けた吊シャフトを有する支持体を備えるとともに、胸部及び胴部の上部背面に、吊シャフトを差し込むことのできる開口穴を設けてあるので、胸部を用いた形態での利用時及び胸部を用いず胴部を用いた形態での利用時のいずれにおいても、システムトルソを所望の高さに容易にセットすることができ、かつ、吊シャフトを支点としてシステムトルソを揺動させることができるので、着せ替えしやすいという効果がある。
【図面の簡単な説明】
【００１５】
【図１】システムトルソの各種利用形態を示す図。
【図２】胸部胴部ジョイント部品の概略図。
【図３】胸部腕部ジョイント部品の概略図。
【図４】胸部及び胴部を背面側から見た斜視図。
【図５】胸部、胴部、腕部及び脚部全てを結合したシステムトルソを支持体にセットした状態の概略図。
【図６】胴部と脚部を結合したシステムトルソを支持体にセットした状態の概略図。
【発明を実施するための形態】
【００１６】
以下、実施例によって本発明の実施形態を説明する。
【実施例】
【００１７】
実施例のシステムトルソ１の各種利用形態を図１に示す。
実施例のシステムトルソ１は、胸部２、胴部３、２つの腕部４及び２つの脚部５よりなっており、それらを全部用いる利用形態が図１（１）である。
そして、胸部２と胴部３は後述する胸部胴部ジョイント部品６によって着脱可能に結合され、胸部２と２つの腕部４及び胴部３と２つの脚部５は、それぞれ後述する胸部腕部ジョイント部品１４及び胴部脚部ジョイント部品によって着脱可能に結合されている。
【００１８】
胸部２、胴部３、２つの腕部４及び２つの脚部５が、それぞれ着脱可能となっているため、実施例のシステムトルソは、図１（２）に示す胸部２のみを用いる利用形態、図１（３）に示す胸部２と腕部４を用いる利用形態、図１（４）に示す胸部２と胴部３を用いる利用形態、図１（５）に示す胸部２と腕部４と胴部３を用いる利用形態、図１（６）に示す胸部２と胴部３と脚部５を用いる利用形態、図１（７）に示す胴部３と脚部５を用いる利用形態、図１（８）に示す胴部３のみを用いる利用形態等、様々な形態で利用可能となっている。
【００１９】
実施例の胸部２は、肩の下に下向きに設けられている肩下端面１５において、腕部４と着脱可能に結合するようになっているため、腕部４をつけた状態外した状態のいずれにおいても、衣装の着装状態を崩すことなく使用することができる。
また、後述する胸部腕部ジョイント部品１４は、着脱が楽にできるため、腕部４を外した状態で衣装の着せ替えを行い、その後腕部４を差し込んで容易に胸部２に装着できるので、胸部２と腕部４を用いる利用形態において、着せ替え作業をスムーズに行うことができる。
【００２０】
実施例の胸部胴部ジョイント部品６の概略図を図２に示す。
同図に示すとおり、実施例の胸部胴部ジョイント部品６は、胸部２の左右側部近傍の下端面７から下に延びる２つの突出部８と、胴部３の左右側部近傍の上端面９に設けられ、突出部８が嵌合可能な２つの凹部１０と、胴部３上部の左右側面から凹部１０に貫通する横穴１１と、ネジ１２で構成されている。
突出部８は平板状で、その下部のほぼ中央にネジ穴１３が設けてあり、横穴１１は、左右側面側の径が大きく、凹部１０側の径が小さくなっている。
また、ネジ１２の一端部には、横穴１１の大径部より小さく小径部より大きい直径３ｃｍ程度のつまみ部１３が設けてあり、ネジ１２を持ちやすく、かつ、ネジ穴１３にねじ込みやすくしてある。
そして、胸部２と胴部３を結合するときには、まず、胸部２を持ち上げて、その下端面７を胴部３の上端面９に近づけ、突出部８を凹部１０に嵌合させて、胸部２を胴部３の上に載せる。次に、横穴１１からネジ１２を差し込み、回転させて突出部８のネジ穴１３にねじ込めば、胸部２と胴部３が固定される。
【００２１】
実施例の胸部腕部ジョイント部品１４の概略図を図３に示す。
同図に示すとおり、実施例の胸部腕部ジョイント部品１４は、胸部２の両肩の下にある肩下端面１５に、円形と細長い長方形を組み合わせた腕部固定穴１６を開けた胸部平板１７を締着するとともに、腕部４の上腕側の端面１８に、上部をテーパー状に削り下部に一側面から他側面に貫通する長穴１９を有する腕部円筒体２０を設けた腕部平板２１を締着してある。
なお、肩下端面１５の内側は空洞又は後述する腕部円筒体２０及び腕部固定棒２２が嵌入可能な凹部となっている。
長穴１９には腕部固定穴１６の細長い長方形部分を通過可能な直径及び長さの腕部固定棒２２が腕部円筒体２０の上部からスプリング２３で腕部平板２１側に付勢されるように挿入されている。
そして、長穴１９の下端と腕部平板２１との間の距離は、胸部平板１７の厚さより少し小さくなっているので、腕部固定穴１６に腕部円筒体２０及び腕部固定棒２２を挿入し回転させると、腕部平板２１と腕部固定棒２２で胸部平板１７がスプリング２３の付勢力により挟みつけられて、胸部２と腕部４をしっかりと固定することができる。
また、腕部４を約９０度回転させたとき、胸部２と腕部４が正規の位置関係となるようにしてある。
【００２２】
実施例の胴部脚部ジョイント部品は、胸部腕部ジョイント部品１４とほぼ同じ構造であり、胴部３の両足の付け根部分にある端面に、胸部腕部ジョイント部品１４の胸部平板１７と同様の胴部平板を締着するとともに、脚部５の太もも側の端面に、胸部腕部ジョイント部品１４の腕部平板２１と同様の脚部平板を締着してある。
そして、胴部３と脚部５を結合するときには、脚部固定穴に脚部円筒体及び脚部固定棒を挿入し約９０度回転させると、胴部３と脚部５が正規の位置関係で固定される。
【００２３】
実施例の胸部２及び胴部３を結合した形態のものを背面側から見た斜視図を図４に示す。
同図に示すとおり、胸部２の上部背面には、後述する吊シャフトを差し込むことのできる胸部開口穴２４が設けられ、胴部３の上部背面には、同じく吊シャフトを差し込むことのできる胴部開口穴２５が設けられている。
【００２４】
実施例の胸部２、胴部３、腕部４及び脚部５全てを用いる利用形態で、システムトルソ１を後述する支持体２６にセットした状態の概略図を図５（１）及び（２）に示す。
同図に示すとおり、実施例の支持体２６は、２ｋｇ程度の重量を有する金属製平板からなり、床面に載置されるベース部２７と、金属製パイプよりなり、床面に対してほぼ垂直となるようにベース部２７の上面に固定されている支柱２８と、該支柱２８の金属製パイプの内径より小さい外径を有する金属製パイプよりなり、支柱２８に対して上下方向へ出し入れ自在かつ適宜の位置で固定可能な伸縮部２９と、一端部が伸縮部２９に固定され他端部に上方へ突出する突起を設けた吊シャフト３０を備えている。
支柱２８の上端部にはネジ穴を設け、そのネジ穴に高さ調整ネジをねじ込むことにより、適宜の位置で伸縮部２９を固定することができるようになっている。
【００２５】
図５（１）においては、支持体２６を使用して、吊シャフト３０上面のベース部２７上面からの高さが、胸部２、胴部３、腕部４及び脚部５全てを結合したシステムトルソ１を立てた状態（図１（１）の状態）における胸部開口穴２４上端（図４）の床面からの高さ以上となるように、伸縮部２９を支柱２８に対して固定した後に、吊シャフト３０の突起が胸部開口穴２４の中に入るようにセットする。
また、図５（２）においては、支持体２６を使用して、吊シャフト３０上面のベース部２７上面からの高さが、胸部２、胴部３、腕部４及び脚部５全てを結合したシステムトルソ１を立てた状態（図１（１）の状態）における胴部開口穴２５上端（図４）の床面からの高さ以上となるように、伸縮部２９を支柱２８に対して固定した後に、吊シャフト３０の突起が胴部開口穴２５の中に入るようにセットする。
このようにセットすることにより、胸部開口穴２４又は胴部開口穴２５が吊シャフト３０から外れることなく、胸部２、胴部３、腕部４及び脚部５全てを結合したシステムトルソ１が吊シャフト３０に吊り下がった状態となるので、そのシステムトルソ１全体を比較的小さい力で揺動させることができる。
さらに、図５（２）の場合、システムトルソ１を吊シャフト３０に吊り下げた状態のまま、胸部２側の着せ替えを行うことができる。
【００２６】
実施例の胴部３と脚部５を用いる利用形態で、システムトルソ１を支持体２６にセットした状態の概略図を図６に示す。
同図に示すとおり、吊シャフト３０上面のベース部２７上面からの高さが、胴部３と脚部５を結合したシステムトルソを立てた状態（図１（７）の状態）における胴部開口穴２５上端の床面からの高さ以上となるように（通常は図５の場合より低くなるように）、伸縮部２９を支柱２８に対して固定した後に、吊シャフト３０の突起が胴部開口穴２５に入るようにセットする。
このようにセットすることにより、胴部開口穴２５が吊シャフト３０から外れることなく、胴部３と脚部５を結合したシステムトルソが吊シャフト３０に吊り下がった状態となるので、そのシステムトルソ全体を比較的小さい力で揺動させることができる。
【００２７】
実施例１及び２の変形例を列記する。
（１）実施例のシステムトルソ１は、胸部２、胴部３、２つの腕部４、２つの脚部５、胸部胴部ジョイント部品６、胸部腕部ジョイント部品１４及び胴部脚部ジョイント部品よりなっているが、２つの腕部４、２つの脚部５、胸部腕部ジョイント部品１４及び胴部脚部ジョイント部品は必ずしも必要ない。
また、図１に示す分割箇所及び分割方向は一例を示すものであって、システムトルソ１の形状や利用形態に応じて、適宜変更することができる。
さらに、胸部２の上端（首部）の上には、頭部を設けたり、着脱可能に結合できる頭部を設けたりしても良いが、着脱可能に結合できる頭部を設ける場合には、胸部２の上端と頭部の下端に胸部頭部ジョイント部品を設けることとなる。
（２）実施例の胸部２と胴部３を分離すると、胸部２の下端面７から突出部８が２本下に延びた状態になるが、この２本の突出部８を利用して、パンツハンガーを水平に固定すれば、ズボン等を胸部２の下側に吊すことができる。
そうすることにより、胸部２のみ又は胸部２と腕部４を用いる利用形態において、胸部２の下にズボン等を吊してディスプレイすることが可能となる。
また、同じく実施例の胸部２と胴部３を分離すると、胴部３の上端面９は露出した状態になるが、その上端面９は突出部のないほぼ平坦なものであるとともに、２つの凹部１０が設けられているので、凹部１０に挿入可能な支持脚を有するプレートやカードホルダを設置したり、２つの凹部１０に挿入可能な支持脚を有するテーブルを設置したりすれば、胴部３の上端面９を有効活用することができる。
（３）実施例の胸部胴部ジョイント部品６は、胸部２の左右側部近傍の下端面７から下に延びる突出部８と、胴部３の左右側部近傍の上端面９に設けられ突出部８が嵌合可能な凹部１０と、胴部３上部の左右側面から凹部１０に貫通する横穴１１と、ネジ１２で構成されているが、胸部２と胴部３を固定する手段としてはネジ１２に限らず、ネジ穴１３に代えて単なる穴又は鍵穴状の穴にするとともに、ネジ１２に代えて単なる丸棒、丸棒の長手方向に円弧状の細いスプリングを設けたもの、又は丸棒の他端部に鍵穴を通過できる横桿を設けたものとし、丸棒等を穴に差し込むか穴に差し込んだ後少し回転させることで固定するようにしても良い。
また、突出部８を磁性体とするとともに、凹部１０側に強い永久磁石を設けておき、突出部８を凹部１０に嵌合させて胸部２を胴部３の上に載せただけで固定されるようにしても良い。
さらに、胸部２の下端面７又は胴部３の上端面９に収まる平板の上下に突出部を設けるとともに、胸部２の下端面７及び胴部３の上端面９に、それら突出部が嵌合可能な凹部を設けて、ネジ、丸棒又は磁力等で固定するようにしても良い。この構造によれば、胸部２と胴部３を分離したときに、胸部２の下端面７及び胴部３の上端面９のいずれにも突出するものが生じない。
（４）実施例の胸部腕部ジョイント部品１４及び胴部脚部ジョイント部品は、それぞれ胸部平板１７及び胴部平板、並びに腕部平板２１及び脚部平板で構成されているが、このような構造に限らず、胸部胴部ジョイント部品６と同様のものや上記（２）に記載した胸部胴部ジョイント部品６の変形例のようなものも採用可能である。
（５）実施例のシステムトルソ１においては、胸部２の上部背面及び胴部３の上部背面に、それぞれ胸部開口穴２４及び胴部開口穴２５が設けられているが、必要に応じて腕部４の上部背面及び脚部５の上部背面にも、それぞれ同様の腕部開口穴及び脚部開口穴を設けても良い。
（６）実施例の支持体２６は、金属製平板からなるベース部２７を備えているが、ベース部２７は金属製に限らず、ある程度の重量を有するものであれば、樹脂製、ガラス製、木製、コンクリート製等、材質はなんでも良い。また、平板状のものに限らず、十字状、三脚状等、支柱２８を支持できるものであれば、どのような構造のものでも良い。
（７）実施例の支柱２８は、床面に対してほぼ垂直となるようにベース部２７の上面に固定されているが、床面に対して上方に延び、システムトルソ１を支えることができるようにベース部２７に支持されていれば良い。
（８）実施例の支柱２８は、上端部にネジ穴を設け、そのネジ穴に高さ調整ネジをねじ込むことにより、適宜の位置で伸縮部２９を固定することができるようになっているが、支柱２８に対して適宜の位置で伸縮部２９を固定できるようにする構造については、伸縮部２９に複数の穴、溝又は凹部等を設け、支柱２８に複数の穴、溝又は凹部等の何れかに挿入又は噛合可能なストッパーを設けるものや、空気圧又はバネ圧を利用して適宜の位置に固定できるようにするもの等、適宜の機構を採用することができる。
（９）実施例の支持体２６は、一端部が伸縮部２９に固定され他端部に上方へ突出する突起を設けた吊シャフト３０を備えているが、このような構造に限らず、伸縮部２９の上部を曲げ、その先端部に上方へ突出する突起を設けたり、胸部開口穴２４や胴部開口穴２５が引っ掛かる曲折部や凹部を設けたりしても良い。
また、支柱２８が床面に対して傾いている場合には、伸縮部２９を曲げることなく、直接その上端に、上方へ突出する突起を設けたり、胸部開口穴２４や胴部開口穴２５が引っ掛かる曲折部や凹部を設けたりしても良い。
さらに、胸部の上部背面に設けてある胸部開口穴２４及び胴部の上部背面に設けてある胴部開口穴２５を、フック、穴の開いている突片又はループ体に換えても良い。そして、開口穴をフックに換えた場合には、伸縮部２９の上端部又は吊シャフト３０の他端部に穴、凹部、フック若しくはループ体を設け、開口穴を穴の開いている突片又はループ体に換えた場合には、伸縮部２９の上端部又は吊シャフト３０の他端部にフックを設けることとなる。
【符号の説明】
【００２８】
１  システムトルソ      ２  胸部      ３  胴部      ４腕部      ５  脚部
６  胸部胴部ジョイント部品      ７  胸部２の下端面      ８  突出部
９  胴部３の上端面      １０  凹部      １１  横穴      １２  ネジ
１３  つまみ部      １４  胸部腕部ジョイント部品      １５  肩下端面
１６  腕部固定穴      １７  胸部平板      １８  上腕側端面      １９  長穴
２０  腕部円筒体      ２１  腕部平板      ２２  腕部固定棒      ２３  スプリング
２４  胸部開口穴      ２５  胴部開口穴      ２６  支持体      ２７  ベース部
２８  支柱      ２９  伸縮部      ３０  吊シャフト
【図１】
2014226258.tif 000003
【図２】
2014226258.tif 000004
【図３】
2014226258.tif 000005
【図４】
2014226258.tif 000006
【図５】
2014226258.tif 000007
【図６】
2014226258.tif 000008